(57)【要約】【課題】外来ノイズの影響を低減して、高速通信を安定に行なうことが可能な磁気結合素子を提供する。【解決手段】外来磁界（外来ノイズ）があれば、同等のノイズ成分が受信用コイル４及びダミーコイル５に共に発生し、受信用コイル４及びダミーコイル５からのそれぞれのノイズ成分が差動アンプ１４で相殺されるので、送信用コイル３の磁界による信号成分のみが差動アンプ１４を介してコンパレータ１５に加えられ、ここで２値化され、更に出力制御回路１８及び各トランジスタ１６、１７を介して出力されることになる。【選択図】図１
2005051021.tif 000002
【特許請求の範囲】
【請求項１】
相互に磁気結合した送信用コイル及び受信用コイル間に絶縁層を介在させ、信号を送信用コイルに入力して、磁気結合により誘導された受信用コイルの信号を出力する磁気結合素子において、
受信用コイルの近傍に配置されたダミーコイルと、
受信用コイルの信号とダミーコイルの信号との差を求める演算部と
を備えることを特徴とする磁気結合素子。
【請求項２】
第１及び第２ダミーコイルを備え、外来磁界を遮蔽するためのシールド部材を第１及び第２ダミーコイルのいずれかに設けたことを特徴とする請求項１に記載の磁気結合素子。
【請求項３】
第１及び第２ダミーコイル間に受信用コイルを設けたことを特徴とする請求項２に記載の磁気結合素子。
【請求項４】
複数のダミーコイルを備え、各ダミーコイルと受信用コイル間のそれぞれの離間距離が一定となる様に、各ダミーコイル及び受信用コイルを配置したことを特徴とする請求項１に記載の磁気結合素子。
【請求項５】
受信用コイルの巻き数とダミーコイルの巻き数を同一にしたことを特徴とする請求項に１記載の磁気結合素子。
【請求項６】
受信用コイルとダミーコイル間に、ダミーコイルに対する送信用コイルの磁界を遮蔽するための防磁部材を設けたことを特徴とする請求項１に記載の磁気結合素子。
【請求項７】
複数組の受信用コイルとダミーコイルを備え、各組間に、該各組相互間で磁界を遮蔽するための遮蔽部材を設けたことを特徴とする請求項１に記載の磁気結合素子。
【請求項８】
請求項１乃至７のいずれかに記載の磁気結合素子を用いた電子機器。
【発明の詳細な説明】
【技術分野】
【０００１】
本発明は、相互に磁気結合した送信用コイル及び受信用コイル間に絶縁層を介在させ、信号を送信用コイルに入力して、磁気結合により誘導された受信用コイルの信号を出力する磁気結合素子、及びそれを用いた電子機器に関する。
【背景技術】
【０００２】
周知の様に光結合素子は、入力側の発光素子と出力側の受光素子とを備えており、入力側と出力側を電気的に絶縁した状態で、信号伝達を行なうものであって、多様な電子機器に用いられている。
【０００３】
ところが、近年、ＦＡ機器等のフィールドバスネットワークに代表される様な伝送速度の高速化（５０Ｍｂ／ｓ〜１００Ｍｂ／ｓ程度）によって、光結合素子よりも通信速度の速い磁気結合素子が注目されている。
【０００４】
この種の磁気結合素子としては、例えば特許文献１に開示されているものがある。この磁気結合素子においては、磁気強度に応じて抵抗値が変化する磁気抵抗センサを含むブリッジ回路を構成し、磁気抵抗センサにより入力磁界を検出して、磁気抵抗センサの出力信号をブリッジ回路から取り出し、この出力信号を帰還させて、出力磁界を発生させ、入力磁界と出力磁界が相殺する様な制御を行ないつつ、磁気抵抗センサの出力信号を外部に取り出している。ここでは、出力信号を帰還させて、入力磁界と出力磁界を相殺していることから、出力信号側の回路に生じた内部ノイズがキャンセルされる。
【特許文献１】ＵＳ Ｐａｔｅｎｔ Ｎｏ．６３７６９３３
【発明の開示】
【発明が解決しようとする課題】
【０００５】
しかしながら、上記従来の磁気抵抗素子では、内部ノイズを低減することができても、地磁気等の外来ノイズを低減するための配慮がなされておらず、このために出力信号の波形の歪みや出力信号から得られる通信ビットの欠落等の現象が起こり、正常な通信が阻害されるという問題があった。
【０００６】
そこで、本発明は、上記従来の問題点に鑑みてなされたものであり、外来ノイズの影響を低減して、高速通信を安定に行なうことが可能な磁気結合素子を提供することを目的とする。
【課題を解決するための手段】
【０００７】
上記課題を解決するために、本発明は、相互に磁気結合した送信用コイル及び受信用コイル間に絶縁層を介在させ、信号を送信用コイルに入力して、磁気結合により誘導された受信用コイルの信号を出力する磁気結合素子において、受信用コイルの近傍に配置されたダミーコイルと、受信用コイルの信号とダミーコイルの信号との差を求める演算部とを備えている。
【０００８】
また、本発明においては、第１及び第２ダミーコイルを備え、外来磁界を遮蔽するためのシールド部材を第１及び第２ダミーコイルのいずれかに設けている。
【０００９】
更に、本発明においては、第１及び第２ダミーコイル間に受信用コイルを設けている。
【００１０】
また、本発明においては、複数のダミーコイルを備え、各ダミーコイルと受信用コイル間のそれぞれの離間距離が一定となる様に、各ダミーコイル及び受信用コイルを配置している。
【００１１】
更に、本発明においては、受信用コイルの巻き数とダミーコイルの巻き数を同一にしている。
【００１２】
また、本発明においては、受信用コイルとダミーコイル間に、ダミーコイルに対する送信用コイルの磁界を遮蔽するための防磁部材を設けている。
【００１３】
更に、本発明においては、複数組の受信用コイルとダミーコイルを備え、各組間に、該各組相互間で磁界を遮蔽するための遮蔽部材を設けている。
【００１４】
一方、本発明の電子機器は、上記本発明の磁気結合素子を用いている。
【発明の効果】
【００１５】
本発明の磁気結合素子によれば、送信用コイルと受信用コイルを相互に磁気結合させており、信号を送信用コイルから受信用コイルへと伝達している。そして、ダミーコイルを受信用コイルの近傍に配置して、受信用コイルの信号とダミーコイルの信号との差を求めている。このダミーコイルの配置により、ダミーコイルと送信用コイル間の磁気結合を弱くし、かつ同等の外来磁界を受信用コイルとダミーコイルで共に検出することができる。従って、ダミーコイルの出力には、送信用コイルの磁界により生じた信号成分が殆ど含まれず、外来磁界により生じたノイズ成分が含まれる。一方、受信用コイルの出力には、送信用コイルの磁界による高いレベルの信号成分と、ダミーコイルと同等の外来磁界によるノイズ成分とが含まれる。このため、受信用コイルの信号とダミーコイルの信号との差を求めると、外来磁界によるノイズ成分が相殺され、送信用コイルの磁界による信号成分が殆ど損失なく抽出される。この結果として、外来ノイズの影響を低減して、送信用コイルと受信用コイル間の高速通信を安定に行なうことが可能になる。
【００１６】
また、本発明の磁気結合素子によれば、第１及び第２ダミーコイルを設けて、外来磁界を遮蔽するためのシールド部材を第１及び第２ダミーコイルのいずれかに設けている。例えば、シールド部材を第２ダミーコイルに設けている。この場合は、第２ダミーコイルの出力には、送信用コイルの磁界による信号成分及び外来磁界によるノイズ成分が殆ど含まれず、内部ノイズ成分のみが含まれる。このため、受信用コイルの信号と第２ダミーコイルの信号との差を求めると、受信用コイルの信号に含まれる内部ノイズ成分が除去される。また、受信用コイルの信号と第１ダミーコイルの信号との差を求めると、先に述べた様に受信用コイルの信号に含まれる外来磁界によるノイズ成分が除去される。こうして内部ノイズ成分や外来磁界によるノイズ成分が除去されたそれぞれの受信用コイルの信号を適宜に演算処理すれば、内部ノイズ成分及び外来磁界によるノイズ成分を低減させて、送信用コイルの磁界による信号成分を良好に取り出すことができる。
【００１７】
更に、本発明の磁気結合素子によれば、第１及び第２ダミーコイル間に受信用コイルを設けている。あるいは、複数のダミーコイルを備え、各ダミーコイルと受信用コイル間のそれぞれの離間距離が一定となる様に、各ダミーコイル及び受信用コイルを配置している。このため、各ダミーコイルにより、受信用コイルで検出される外来磁界を略正確に検出することができる。
【００１８】
また、本発明の磁気結合素子によれば、受信用コイルの巻き数とダミーコイルの巻き数を同一にしている。これにより、外来磁界による受信用コイルのノイズ成分と外来磁界によるダミーコイルのノイズ成分とを同等のレベルに設定することができ、受信用コイルの出力とダミーコイルの出力との差を求めることにより、外来磁界によるノイズ成分を確実に相殺することができる。
【００１９】
更に、本発明の磁気結合素子によれば、受信用コイルとダミーコイル間に防磁部材を設けているので、ダミーコイルに対する送信用コイルの磁界が遮蔽される。このため、送信用コイルの磁界によるダミーコイルの信号成分が十分に低減され、受信用コイルの出力と第１ダミーコイルの出力との差を求めることにより、送信用コイルの磁界による信号成分を殆ど損失なく取り出すことができる。
【００２０】
また、本発明の磁気結合素子によれば、複数組の受信用コイルとダミーコイルを設けることを前提とし、各組の間に遮蔽部材を設けているので、各組相互間で磁界を遮蔽することができる。
【００２１】
一方、本発明は、磁気結合素子に限定されるものではなく、この磁気結合素子を適用した電子機器を包含する。この電子機器としては、ＦＡ機器等は勿論のこと、ＤＶＤ、ＣＤ、ＭＤ等の再生装置、受像装置、電源、インバータ等、入出力間を絶縁して信号伝達を行なう回路を含むものであれば、如何なる種類のものであっても構わない。
【発明を実施するための最良の形態】
【００２２】
以下、本発明の実施形態を添付図面を参照して詳細に説明する。
【実施例１】
【００２３】
図１及び図２は、本発明の磁気結合素子の実施例１を概略的に示す側面図及び底面図である。本実施例の磁気結合素子１は、絶縁層２と、絶縁層２上面に設けられた送信用コイル３と、絶縁層２下面に設けられた受信用コイル４及びダミーコイル５とを備え、受信用チップ７上に搭載されている。
【００２４】
送信用コイル３及び受信用コイル４は、絶縁層２介して相互に重ね合わせられており、相互に磁気結合している。ダミーコイル５は、受信用コイル４の隣りに配置されており、送信用コイル３からずらされているために、送信用コイル３とは磁気結合していない。受信用コイル４及びダミーコイル５の巻き数は、同一である。
【００２５】
絶縁層２は、ポリイミド等の絶縁材料をスピンコート等の手法により膜状に形成したものである。絶縁層２の上下面については、各コイル３、４、５を形成配置するために、該各コイル３、４、５よりも十分に広い平坦な領域であることが要求される。また、スピンコート等の手法による絶縁層２の形成に際し、絶縁層２の端部近傍が傾斜するので、この傾斜部分に各コイル３、４、５がかからない様に、絶縁層２の大きさを設定する必要がある。更に、光結合素子と同様に、磁気結合素子１についても、海外安全規格の電気絶縁性に適合させるために、絶縁層２を適宜の厚みにする必要がある。通常、絶縁層２の厚みとして、最小で０．１５ｍｍ、可能であれば、０．４ｍｍ以上に設定する必要がある。
【００２６】
図３は、磁気結合素子１における受信用コイル４及びダミーコイル５からのそれぞれの出力信号を処理するための信号処理回路１１を示している。この信号処理回路１１は、受信用コイル４及びダミーコイル５からの各出力信号を増幅するそれぞれのアンプ１２、１３と、各アンプ１２、１３からの各出力信号の差を求める差動アンプ１４と、差動アンプ１４からの出力信号を２値信号に変換するコンパレータ１５と、２値信号を出力するための各トランジスタ１６、１７と、コンパレータ１５からの２値信号に応じて各トランジスタ１６、１７を制御する出力制御回路１８と、各アンプ１２〜１４やコンパレータ１５の電源となる低電圧回路１９とを備えている。
【００２７】
ここで、まず外来磁界（外来ノイズ）がないものとする。この場合は、入力信号が送信用コイル３に加えられると、信号電流が送信用コイル３に流れ、アンペールの右ねじの法側に従って、送信用コイル３に対して垂直であって、送信用コイル３の中央を通る磁界が発生し、この磁界が絶縁層２を介して受信用コイル４の中央を通り、受信用コイル４に誘導電流が発生し、この誘導電流が出力信号として信号処理回路１１に加えられる。また、送信用コイル３の中央を通る磁界は、ダミーコイル５の中央を通らないので、送信用コイル３の磁界による誘導電流がダミーコイル５に殆ど発生せず、ダミーコイル５からの出力信号がない。
【００２８】
信号処理回路１１では、受信用コイル４からの出力信号をアンプ１２で増幅してから差動アンプ１４の反転入力端子に加える。また、ダミーコイル５からの出力信号がないので、アンプ１３の出力もなく、差動アンプ１４の非反転入力端子の入力もない。このため、差動アンプ１４は、受信用コイル４からの出力信号を反転増幅してからコンパレータ１５に加えることになる。コンパレータ１５は、差動アンプ１４からの出力を予め設定された閾値と比較して、該出力を２値化し、２値化信号を出力制御回路１８に加える。出力制御回路１８は、２値信号に応じて各トランジスタ１６、１７を制御し、２値化信号を各トランジスタ１６、１７から出力させる。
【００２９】
従って、外来磁界（外来ノイズ）がない場合は、入力信号が送信用コイル３に加えられると、出力信号が受信用コイル４から出力される。この出力信号は、アンプ１２及び差動アンプ１４を介してコンパレータ１５に加えられ、ここで２値化され、更に出力制御回路１８及び各トランジスタ１６、１７を介して出力されることになる。
【００３０】
次に、外来ノイズがあるものとする。この場合も、入力信号が送信用コイル３に加えられると、送信用コイル３に磁界が発生して、受信用コイル４に信号が誘導される。ただし、これと同時に、外来磁界によって受信用コイル４にノイズも誘導される。このため、受信用コイル４の出力は、送信用コイル３の磁界による信号成分と外来磁界によるノイズ成分とを含む。
【００３１】
また、外来ノイズは、受信用コイル４周辺の広範囲に一様に発生する。そして、受信用コイル４及びダミーコイル５の巻き数は、同一である。このため、ダミーコイル５にも、外来磁界によって受信用コイル４と同等のノイズが誘導される。ただし、先に述べた様に送信用コイル３の磁界による誘導電流がダミーコイル５に殆ど発生しない。このため、ダミーコイル５の出力は、外来磁界によるノイズ成分のみを含む。
【００３２】
信号処理回路１１では、受信用コイル４の出力をアンプ１２で増幅してから差動アンプ１４の反転入力端子に加え、またダミーコイル５の出力をアンプ１３で増幅してから差動アンプ１４の非反転入力端子に加える。差動アンプ１４は、受信用コイル４の出力とダミーコイル５の出力との差を出力する。先に述べた様に受信用コイル４の出力が送信用コイル３の磁界による信号成分と外来磁界によるノイズ成分を含み、またダミーコイル５の出力が外来磁界によるノイズ成分のみを含むことから、受信用コイル４の出力とダミーコイル５の出力との差が送信用コイル３の磁界による信号成分のみとなって、外来磁界によるノイズ成分が相殺される。従って、差動アンプ１４からは、送信用コイル３の磁界による信号成分のみが出力されてコンパレータ１５に加えられる。コンパレータ１５は、送信用コイル３の磁界による信号成分を２値化し、２値化信号を出力制御回路１８に加える。出力制御回路１８は、２値化信号を各トランジスタ１６、１７から出力させる。
【００３３】
従って、外来磁界（外来ノイズ）がある場合は、同等のノイズ成分が受信用コイル４及びダミーコイル５に共に発生し、受信用コイル４及びダミーコイル５からのそれぞれのノイズ成分が差動アンプ１４で相殺されるので、送信用コイル３の磁界による信号成分のみが差動アンプ１４を介してコンパレータ１５に加えられ、ここで２値化され、更に出力制御回路１８及び各トランジスタ１６、１７を介して出力されることになる。
【００３４】
この様に本実施形態では、外来磁界があってもなくても、送信用コイル３の磁界による信号成分のみが受信用コイル４から差動アンプ１４を介してコンパレータ１５に加えられ、この信号成分が２値化されて出力されることになる。
【００３５】
尚、外来磁界に方向性等があって、受信用コイル４及びダミーコイル５の巻き数を同一にすると、受信用コイル４とダミーコイル５間で外来磁界によるノイズのレベルが異なる場合は、受信用コイル４及びダミーコイル５の巻き数を異ならせることにより、受信用コイル４とダミーコイル５間で外来磁界によるノイズのレベルを一致させても良い。
【００３６】
また、送信用コイル３の磁界がダミーコイル５に影響して、ダミーコイル５に高いレベルの信号が発生する場合は、図４に示す様に受信用コイル４とダミーコイル５間に、接地された防磁壁７を設けても良い。この防磁壁７により、ダミーコイル５に対する送信用コイル３の磁界を遮蔽することができ、送信用コイル３の磁界によるダミーコイル５の信号レベルが十分に低減される。このため、受信用コイル４の信号とダミーコイル５の信号との差を求めることにより、送信用コイル３の磁界による受信用コイル４の信号を殆ど損失なく取り出すことができる。
【実施例２】
【００３７】
図５及び図６は、本発明の磁気結合素子の実施例２を概略的に示す側面図及び底面図である。本実施例の磁気結合素子２１は、絶縁層２２と、絶縁層２２上面に設けられた送信用コイル２３及びシールド板２４と、絶縁層２２下面に設けられた受信用コイル２５と、同下面に設けられた第１及び第２ダミーコイル２６、２７と、受信用コイル２５と第１及び第２ダミーコイル２６、２７との間に設けられて接地された各防磁壁２８、２９とを備え、受信用チップ３０上に搭載されている。
【００３８】
送信用コイル２３及び受信用コイル２５は、絶縁層２２介して相互に重ね合わせられており、相互に磁気結合している。第１及び第２ダミーコイル２６、２７は、受信用コイル２５の両隣りに配置されており、送信用コイル２３からずらされているために、送信用コイル２３とは磁気結合していない。受信用コイル２５及び第１及び第２ダミーコイル２６、２７の巻き数は、同一である。
【００３９】
受信用コイル２５と第１及び第２ダミーコイル２６、２７とのそれぞれの離間距離Ｉは、同一である。受信用コイル２５と第１及び第２ダミーコイル２６、２７間の各防磁壁２８、２９は、第１及び第２ダミーコイル２６、２７に対する送信用コイル２３の磁界を遮蔽して、送信用コイル２３の磁界により発生する第１及び第２ダミーコイル２６、２７の信号レベルを十分に低減させるためのものである。
【００４０】
シールド板２４は、絶縁層２２介して第２ダミーコイル２７と重ねて合わせられて、接地されており、第２ダミーコイル２７に対する外来磁界を遮蔽する。
【００４１】
図７は、磁気結合素子２１における受信用コイル２５と第１及び第２ダミーコイル２６、２７からのそれぞれの出力信号を処理するための信号処理回路３１を示している。この信号処理回路３１は、受信用コイル２５と第１及び第２ダミーコイル２６、２７からの各出力信号を増幅するそれぞれのアンプ３２、３３、３４と、各アンプ３２、３３からの各出力信号の差を求める第１差動アンプ３５と、各アンプ３２、３４からの各出力信号の差を求める第２差動アンプ３６と、第１差動アンプ３５からの出力信号を２値信号に変換する第１コンパレータ３７と、第２差動アンプ３６からの出力信号を２値信号に変換する第２コンパレータ３８と、２値信号を出力するための各トランジスタ３９、４０と、第１及び第２コンパレータ３７、３８からの２値信号に応じて各トランジスタ３９、４０を制御する出力制御回路４１と、各アンプ３２〜３６や各コンパレータ３７、３８の電源となる低電圧回路４２とを備えている。
【００４２】
ここで、受信用コイル２５の出力には、送信用コイル２３の磁界による信号成分、及び外来磁界によるノイズ成分だけではなく、当該磁気結合素子２１内部で生じたノイズ成分が含まれているものとする。
【００４３】
また、第１ダミーコイル２６の出力には、送信用コイル２３の磁界による信号成分が該第１ダミーコイル２６に殆ど生じないことから、外来磁界によるノイズ成分が含まれている。
【００４４】
更に、第２ダミーコイル２７の出力には、送信用コイル２３の磁界による信号成分が該第２ダミーコイル２７に殆ど生じず、かつシールド板２４により該第２ダミーコイル２７に対する外来磁界を遮蔽していることから、信号処理回路３１内部で生じたノイズ成分が含まれている。
【００４５】
さて、信号処理回路３１では、受信用コイル２５の出力をアンプ３２を通じて第１差動アンプ３５の反転入力端子に加え、第１ダミーコイル２６の出力をアンプ３３を通じて第１差動アンプ３５の非反転入力端子に加える。第１差動アンプ３５は、受信用コイル２５の出力と第１ダミーコイル２６の出力との差を出力する。この差の出力は、受信用コイル２５の出力から外来磁界によるノイズ成分を除去したものであり、第１コンパレータ３７により２値化されてから出力制御回路４１に加えられる。また、受信用コイル２５の出力をアンプ３２を通じて第２差動アンプ３６の反転入力端子に加え、第２ダミーコイル２７の出力をアンプ３４を通じて第２差動アンプ３６の非反転入力端子に加える。第２差動アンプ３６は、受信用コイル２５の出力と第２ダミーコイル２７の出力との差を出力する。この差の出力は、受信用コイル２５の出力から信号処理回路３１内部で生じたノイズ成分を除去したものであり、第２コンパレータ３８により２値化されてから出力制御回路４１に加えられる。
【００４６】
出力制御回路４１は、第１及び第２コンパレータ３７、３８からの各２値信号を入力し、これらの２値信号を論理演算処理することにより、内部ノイズ成分及び外来磁界によるノイズ成分の影響を低減させ、送信用コイル２３の磁界による信号成分のみを示す２値信号を各トランジスタ３９、４０から出力させる。出力制御回路４１による論理演算処理としては、例えば第１及び第２コンパレータ３７、３８からの各２値信号の論理和を求める処理がある。
【００４７】
尚、本実施例では、第１及び第２ダミーコイルを用いているが、３個以上のダミーコイルを用いても構わない。この場合は、図８に示す様に受信用コイル２５と各ダミーコイル５１とのそれぞれの離間距離を同一にした上で、各ダミーコイル５１の出力を平均化すれば、受信用コイル２５で検出される外来磁界を略正確に検出することができる。従って、受信用コイル２５の出力と各ダミーコイル５１の出力の平均値との差を求めることにより、受信用コイル２５の出力から外来磁界によるノイズ成分を除去することになる。受信用チップ３０のサイズ等を考慮すると、ダミーコイルを３個程度にとどめることが適当であるが、４個以上のダミーコイルを配置することも可能である。
【００４８】
また、図９に示す様に１個又は複数個の送信用コイル（図示せず）に対して、複数組の受信用コイル５２とダミーコイル５３を設ける場合は、各組間に防磁壁５４を設けて、各組相互間で磁界を遮蔽して、各組間のクロストークを低減させれば良い。更に、受信用チップ３０のサイズに余裕があるならば、各組別に、受信用コイル５２とダミーコイル５３間に防磁壁を設けても構わない。
【図面の簡単な説明】
【００４９】
【図１】本発明の磁気結合素子の実施例１を概略的に示す側面図である。
【図２】図１の磁気結合素子を示す底面図である。
【図３】図１の磁気結合素子の出力信号を処理するための信号処理回路を示すブロック図である。
【図４】図１の磁気結合素子の変形例を示す底面図である。
【図５】本発明の磁気結合素子の実施例２を概略的に示す側面図である。
【図６】図５の磁気結合素子を示す底面図である。
【図７】図５の磁気結合素子の出力信号を処理するための信号処理回路を示すブロック図である。
【図８】図５の磁気結合素子の変形例を示す底面図である。
【図９】図５の磁気結合素子の他の変形例を示す底面図である。
【符号の説明】
【００５０】
１、２１  磁気結合素子
２、２２  絶縁層
３、２３  送信用コイル
４、２５  受信用コイル
５  ダミーコイル
７、２８、２９  防磁壁
１１、３１  信号処理回路
１２、３２、３３、３４  アンプ
１４  差動アンプ
１５  コンパレータ
１６、１７、３９、４０  トランジスタ
１８、４１  出力制御回路
２４  シールド板
１９、４２  低電圧回路
２６  第１ダミーコイル
２７  第２ダミーコイル
３５  第１差動アンプ
３６  第２差動アンプ
３７  第１コンパレータ
３８  第２コンパレータ                
【図１】
2005051021.tif 000003
【図２】
2005051021.tif 000004
【図３】
2005051021.tif 000005
【図４】
2005051021.tif 000006
【図５】
2005051021.tif 000007
【図６】
2005051021.tif 000008
【図７】
2005051021.tif 000009
【図８】
2005051021.tif 000010
【図９】
2005051021.tif 000011